(57)【要約】【課題】平面度が高くかつ美観を損ねることのない外壁を簡便な容易に形成することができ、外壁の強度を長年にわたって維持することができるラス網取付金具を提供する。【解決手段】本発明に係るラス網取付金具は、突起の基部外周径よりも大きな径をもつ円形または多角形の線状枠体と、線状枠体の対称軸上にある２つの固定点で固定支持され、２つの固定点の間では通気型枠シートの窪み部の内側形状に略沿って折り曲げられた下地板固定部を形成し、２つの固定点の外側では前記窪み部の外縁平面から略垂直に立ち上がるフック部を形成する線状固定部材と、を備え、線状固定部材の下地板固定部は、突起の載頭部において止め部材で下地板に固定され、線状枠体は、下地板固定部が下地板に固定されたとき、突起の基部外縁平面に当接し、通気型枠シートを下地板に向けて押し付ける、ことを特徴とする。【選択図】  図１
2011137324.tif 000002
【特許請求の範囲】
【請求項１】
平面部と、載頭錐形の窪み部が前記平面部から押し出されて形成された多数の突起とを有する通気型枠シートを、下地板とラス網との間に、前記窪み部の載頭部が前記下地板に向くように配設すると共に前記通気型枠シートを止め部材で前記下地板に固定し、前記ラス網の上からモルタルを塗布し、前記下地板と前記モルタルの層との間に通風層を形成する外壁通気工法、で使用するラス網取付金具において、
前記突起の基部外周径よりも大きな径をもつ円形または多角形の線状枠体と、
前記線状枠体の対称軸上にある２つの固定点で固定支持され、前記２つの固定点の間では前記通気型枠シートの窪み部の内側形状に略沿って折り曲げられた下地板固定部を形成し、前記２つの固定点の外側では前記窪み部の外縁平面から略垂直に立ち上がるフック部を形成する線状固定部材と、
を備え、
前記線状固定部材の前記下地板固定部は、前記突起の載頭部において前記止め部材で前記下地板に固定され、
線状枠体は、下地板固定部が前記下地板に固定されたとき、前記突起の基部外縁平面に当接し、前記通気型枠シートを前記下地板に向けて押し付ける、
ことを特徴とするラス網取付金具。
【請求項２】
前記線状固定部材の前記フック部は、前記通気型枠シートの外側に前記ラス網を置いたとき、前記フック部を折り曲げて前記ラス網を固定できるように構成される、
ことを特徴とする請求項１に記載のラス網取付金具。
【請求項３】
前記線状固定部材は、前記線状枠体の第１の対称軸上にある２つの固定点で固定支持される第１の線状固定部材と、前記対称軸と直交する第２の対称軸上にある２つの固定点で固定支持される第２の線状固定部材と、を有することを特徴とする請求項１に記載のラス網取付金具。
【請求項４】
前記線状枠体及び前記線状固定部材は、所定の長さの針金を曲げ加工して形成される、
ことを特徴とする請求項１に記載のラス網取付金具。
【請求項５】
前記線状固定部材は、前記固定点において前記線状枠体と溶接固定される、
ことを特徴とする請求項１に記載のラス網取付金具。
【請求項６】
前記通気型枠シートの突起の載頭部には空気抜き孔が形成されており、前記線状固定部材の前記下地板固定部は、前記空気抜き孔を通って前記前記固定部材で前記下地板に直接固定される、
ことを特徴とする請求項１に記載のラス網取付金具。
【発明の詳細な説明】
【技術分野】
【０００１】
本発明は、通気工法を用いた木造建築等の外壁に使用されるラス網取付金具に関する。
【背景技術】
【０００２】
近年の木造建築等では、外壁の最も外側に形成されるモルタル層と下地板との間に通気層を設けた構造の外壁が多く用いられるようになってきている。通気層を設ける外壁の工法を通気工法と呼んでいる。
【０００３】
従来から知られている通気工法では、木材等の下地板の上に胴縁と呼ばれる角材の支柱を適宜の間隔で配置し、支柱の外側にラス網を貼り付け、ラス網にコテ等でモルタルを塗り付けるといった工程で外壁を形成している。この通気工法では、胴縁が下地板とモルタル層との間のスペーサとして機能することになる。そして、胴縁で区切られた空間（通気層）を空気が流れることになる。
【０００４】
しかしながら、従来の上記の通気工法では、下地板に多数の胴縁を取り付けねばならず、この取り付け作業に多くの時間を要していた。また、胴縁は縦方向又は横方向のいずれかの方向に平行に設けられるため、通気層を流れる空気の方向も縦方向、又は横方向に限定されていた。
【０００５】
特許文献１には、胴縁に替えて、載頭錐形殻状突起を多数配列したパネル（以下、突起パネルと呼ぶ）を用いることによって、胴縁の取り付けの手間をなくすと共に、通気層内の空気を縦横斜めの自由な方向に流すことができる、とする技術が開示されている。
【先行技術文献】
【特許文献】
【０００６】
【特許文献１】特開２００１−４０７８８号公報
【発明の概要】
【発明が解決しようとする課題】
【０００７】
特許文献１には、上記の突起パネルの上にラス網を傘釘で止め、これにモルタルを塗布してモルタル外壁を形成する通気工法も開示されている。突起パネルを下地板に固定する手法は明記されていないが、ラス網と突起パネルとを共に傘釘で貫通させて下地板に固定するものと推定される。
【０００８】
しかしながら、この工法では、傘釘を打ち込む作業者の技量によっては傘釘の打ち込み量にバラツキが発生し、ラス網の平面度が確保できず、ひいてはモルタル層の外面に凹凸が生じ、美観を損ねる恐れがある。突起パネルの剛性を高くすれば、作業者のスキルの高低に関わらず傘釘の打ち込み量をある程度均一にすることができるが、突起パネルは重くなり、またコスト増ともなる。
【０００９】
本発明は、上記事情を鑑みてなされたものであり、通気工法に用いるラス網取付金具において、作業者のスキルレベルに依存することなく、平面度が高く、かつ美観を損ねることのない外壁を簡便な容易に形成することができ、さらに外壁の強度を長年にわたって維持することができるラス網取付金具を提供することを目的とする。
【課題を解決するための手段】
【００１０】
上記課題を解決するため、本発明に係るラス網取付金具は、平面部と、載頭錐形の窪み部が前記平面部から押し出されて形成された多数の突起とを有する通気型枠シートを、下地板とラス網との間に、前記窪み部の載頭部が前記下地板に向くように配設すると共に前記通気型枠シートを止め部材で前記下地板に固定し、前記ラス網の上からモルタルを塗布し、前記下地板と前記モルタルの層との間に通風層を形成する外壁通気工法、で使用するラス網取付金具において、前記突起の基部外周径よりも大きな径をもつ円形または多角形の線状枠体と、前記線状枠体の対称軸上にある２つの固定点で固定支持され、前記２つの固定点の間では前記通気型枠シートの窪み部の内側形状に略沿って折り曲げられた下地板固定部を形成し、前記２つの固定点の外側では前記窪み部の外縁平面から略垂直に立ち上がるフック部を形成する線状固定部材と、を備え、前記線状固定部材の前記下地板固定部は、前記突起の載頭部において前記止め部材で前記下地板に固定され、線状枠体は、下地板固定部が前記下地板に固定されたとき、前記突起の基部外縁平面に当接し、前記通気型枠シートを前記下地板に向けて押し付ける、ことを特徴とする。
【発明の効果】
【００１１】
本発明に係るラス網取付金具によれば、通気工法に用いるラス網取付金具において、作業者のスキルレベルに依存することなく、平面度が高く、かつ美観を損ねることのない外壁を簡便な容易に形成することができ、さらに外壁の強度を長年にわたって維持することができる。
【図面の簡単な説明】
【００１２】
【図１】モルタル外壁の構造例を示す図。
【図２】モルタル外壁工法の概要を示す図。
【図３】第１の実施形態に係る通気型枠シートの構造例を示す図。
【図４】ラス網取付金具の外観例を示す斜視図。
【図５】（ａ）はラス網取付金具の正面図、（ｂ）は平面図。
【図６】ラス網取付金具によるラス網取り付け方法の一例を示す図。
【図７】第１の実施形態に係る通気型枠シートとラス網取付金具を使用するモルタル外壁構造の一例を示す図。
【図８】第２の実施形態に係る通気型枠シートの構造例を示す図。
【図９】第２の実施形態に係る通気型枠シートとラス網取付金具を使用するモルタル外壁構造の一例を示す図。
【図１０】空気抜き孔の無い通気型枠シートによって生じうる問題点の説明図。
【図１１】第２の実施形態に係る通気型枠シートの作用効果の説明図。
【発明を実施するための形態】
【００１３】
本発明に係るラス網取付金具の実施形態について、添付図面を参照して説明する。
【００１４】
（１）モルタル外壁の構造及び工法
図１は、本発明の一実施形態に係るラス網取付金具３０を使用するモルタル外壁１００の構造例を示す図である。また、図２（ａ）〜（ｄ）は、モルタル外壁１００の概略の形成工程を示す図である。
【００１５】
モルタル外壁１００は、図１に示すように、外壁の内側から順に、下地板１０、通気型枠シート２０、ラス網取付金具３０、ラス網４０、及びモルタル層５０を備えた構造となっている。
【００１６】
下地板１０は、例えば、木製の合板や発泡性樹脂板である。厚みのある発泡性樹脂板を下地板１０として使用すると、断熱効果を得ることができる。
【００１７】
通気型枠シート２０の具体的な構造や作用については後述するが、図１或は図２に示すように、載頭錐形の窪み部２２が平面部２３から押し出されて形成された突起２１を多数有するシートである。この通気型枠シート２０は、例えばＰＥＴ樹脂等で形成される。
【００１８】
ラス網取付金具３０についても、具体的な構造や作用については後述するが、通気型枠シート２０の窪み部２２にラス網取付金具３０の突起部を挿入し、この突起部の上からステープル（止め部材）６０）を下地板１０に打ち込むことによって、通気型枠シート２０を下地板１０に固定している（図２（ａ）、（ｂ）等参照）。ラス網取付金具３０は通気型枠シート２０だけでなく、ラス網４０も固定することができる構造となっている。
【００１９】
ラス網取付金具３０を総ての窪み部２２に挿入して通気型枠シート２０を固定し終わると、ラス網４０をラス網取付金具３０の上から被せ、その後ラス網取付金具３０のフック部３２１ａ等（図６参照）を折り曲げてラス網４０を固定する（図２（ｃ）、（ｄ）等参照）。
【００２０】
ラス網４０は、従来からモルタル外壁工法に使用されており、金属（金網）、や樹脂で形成される網である。ラス網４０をモルタル層５０の内側に設けることにより、モルタル層５０の固定を容易にすると共、モルタル層５０にヒビが入りにくくしている。
【００２１】
モルタル層５０は、粘状のモルタルを、ラス網４０の上からコテ等で塗布することのよって形成される。
【００２２】
（２）通気型枠シート（第１の実施形態）
図３（ａ）〜（ｃ）は、第１の実施形態に係る通気型枠シート２０の形状例を示す図である。図３（ａ）は平面図を示し、図３（ｂ）及び（ｃ）は図３（ａ）のＸ−Ｘ’断面図及びＹ−Ｙ’断面図を夫々示している。
【００２３】
前述したように、通気型枠シート２０は、載頭錐形の窪み部２２が平面部２３から押し出されて形成された突起２１を多数有している。突起２１の高さや間隔は特に限定するものではないが、突起２１の高さは、例えば、１２〜２０ｍｍ程度である。また、各突起２１の間隔は、例えば、５０〜１５０ｍｍ程度である。図３では、突起２１の配置パターンを碁盤目状としているが、これに限定するものではなく、例えば千鳥格子状の配置パターンでもよい。
【００２４】
粘状のモルタルを塗布する（コテ等で塗布する）と、粘状モルタルはラス網４０、及びラス網取付金具３０の隙間を通って突起２１の窪み部２２に充填される。窪み部２２に充填されたモルタルが乾燥すると、この乾燥モルタルは、モルタル層５０を下地板１０に対して支持する脚として機能する。突起２１の数に応じた多数の脚がモルタル層５０と下地板１０の間に形成されることにより、モルタル層５０の平面度を維持しつつモルタル層５０の強度を高めることができる。
【００２５】
一方、この脚と脚の間には空間が形成され、この空間が、空気が縦、横、斜めの自由な方向に流れる通気層２５となる。この通気層２５により、モルタル層５０や下地板１０の表面や内部に生じる湿気を除去することができる。
【００２６】
通気型枠シート２０は、ポリエチレン、ポリプロピレン、ポリスチレン、アクリル、塩化ビニル、ＰＥＴ樹脂等のプラスチック類を用いて作製することができる。通気型枠シート２０の厚み等は特に限定するものではないが、質量が２００〜８００ｇ／ｍ２であることが好ましい。質量が２００ｇ／ｍ２に満たない場合には、強度が低すぎて、モルタル（或はコンクリート）を塗り付けたときに突起２１の形状を維持できなくなる。一方、質量が２００ｇ／ｍ２を超える場合には、通気型枠シート２０自体が重過ぎ、運搬作業や取付作業が不便となるほか、下地板１０へ固定する際に下方にずり落ちる原因となる。
【００２７】
（３）ラス網取付金具
図４は、本実施形態に係るラス網取付金具３０の外観例を示す斜視図である。また、図５（ａ）及び（ｂ）は、ラス網取付金具３０の構造例を示す正面図及び平面図である。ラス網取付金具３０は、前述したように、通気型枠シート２０を下地板１０に固定すると共に、ラス網４０をもラス網取付金具３０を介して下地板１０に固定している。
【００２８】
ラス網取付金具３０は、円形の線状枠体３１と、第１の線状固定部材３２、及び第２の線状固定部材３３を有している。
【００２９】
線状枠体３１は、突起２１の基部外周の径よりも若干大きな径を持っており、通気型枠シート２０を下地板１０に固定するとき、突起２１の基部外縁の平面部２３に当接し、通気型枠シート２０を下地板１０に向けて押し付ける役目を果たす。
【００３０】
第１の線状固定部材３２は、線状枠体３１の対称軸上にある２つの固定点３２２ａ、３２２ｂで固定支持されている。第１の線状固定部材３２は、２つの固定点３２２ａ、３２２ｂの間では、基部外縁の平面部２３及び突起２１の内側形状に略沿って折り曲げられ、下地板固定部３２３を形成している。一方、２つの固定点３２２ａ、３２２ｂの外側では、平面部２３から略垂直に立ち上がって、フック部３２１ａ、３２１ｂを形成している。
【００３１】
第２の線状固定部材３３も第１の線状固定部材３２と同じ形状であり、２つの固定点３３２ａ、３２２ｂで線状枠体３１に固定支持され、突起２１の内側形状に沿った下地板固定部３３３と、フック部３３１ａ、３３１ｂを有している。
【００３２】
第１、第２の線状固定部材３２、３３は互いに直交するように配置され、線状枠体３１の内側では、２本の下地板固定部３２３、３３３が突起２１の窪み部２２形状に嵌合する突起形状を形成している。
【００３３】
図４、図５等に例示する線状枠体３１、及び第１、第２の線状固定部材３２、３３は、可塑性を有する所定の長さの鉄製針金を曲げ加工し、固定点３２２ａ、３２２ｂ、３３２ａ、３３２ｂ、及び３４を溶接接合して形成したものであり、低コストでかつ適度な強度のラス網取付金具３０を得ることができる。
【００３４】
しかしながら、ラス網取付金具３０の材料は鉄製針金に限定するものではなく、例えば、樹脂部材等を用いて一体的に形成してもよい。
【００３５】
また、図４、図５等に例示するラス網取付金具３０では、２本の第１、第２の線状固定部材３２、３３を使用しているが、窪み部２の形状に沿った突起形状が安定に形成できさえすれば、１本の線状固定部材でもよく、或は逆に３本以上の線状固定部材を使用してもよい。
【００３６】
図６は、ラス網取付金具３０にラス網４０を取り付ける方法を示す図である。図６（ａ）に示すように、ラス網４０を固定する前は、フック部３２１ａ、３２１ｂ、３３１ａ、３３１ｂがラス網４０に対して垂直になっているため、ラス網４０はフック部３２１ａ、３２１ｂ、３３１ａ、３３１ｂに引っかかることなく容易に線状枠体３１の上に載置することができる。また、フック部３２１ａ、３２１ｂ、３３１ａ、３３１ｂは、可塑性を有する鉄製針金で形成されているため、ラス網４０を線状枠体３１の上に載置した後、各フック部を、図６（ｂ）に示すように、内側に折り曲げることにより、容易にラス網４０を固定することができる。
【００３７】
図７は、第１の実施形態に係る通気型枠シート２０、及び上述したラス網取付金具３０を使用して通気型枠シート２０、及びラス網４０を下地板１０に固定し、その後、モルタルをラス網４０の上から塗り付けてモルタル層５０を形成したモルタル外壁１００の断面を示す図である。
【００３８】
通気型枠シート２０を、ラス網取付金具３０を使用せずにステープルで直接下地板１０に固定する方法も考えられるが、この方法を採ると、通気型枠シート２０の窪み部２２にモルタルを塗り付けたとき、モルタルの重みがステープルで固定した突起２１の中央位置に集中し、突起２１が変形して通気型枠シート２０が下方にずり落ちる恐れがある。
【００３９】
これに対して、本実施形態に係るラス網取付金具３０は、その中央部をステープルで下地板１０に固定すると共に、線状枠体３１で通気型枠シート２０を押さえつけているため、モルタルを塗り付けたときであっても、モルタルの重みが線状枠体３１の全体に分散され、この結果、突起２１が変形することがなく、また通気型枠シート２０が下方にずり落ちることもない。
【００４０】
また、ラス網取付金具３０の高さ（突起形状の先端の平坦部と線状枠体３１との距離）は均一に製造することが可能である。したがって、ステープルを下地板固定部３２３、３３３の上から下地板１０に向けて、市販の電動ステープラ等を用いて打ち込みさえすれば、総てのラス網取付金具３０の線状枠体３１と、下地板１０との間の距離を均一にすることができる。この結果、下地板１０とラス網４０との距離を均一にすることができ、ひいては、平面度が高く、品質のよいモルタル外壁１００を得ることができる。
【００４１】
さらに、ラス網取付金具３０を使用することで、電動ステープラ等を用いたステープルの打ち込み作業と、フック部の折り曲げ作業だけで、通気型枠シート２０とラス網４０を下地板１０に取り付けることができるため、従来の傘釘を用いた取り付け作業（特許文献１）に比べると、作業効率が格段に改善されると共に、熟練した作業スキルも必要とすることなく、高品質のモルタル外壁１００を得ることができる。
【００４２】
（４）通気型枠シート（第２の実施形態）
図８は、第２の実施形態に係る通気型枠シート２０ａの構造例を示す図である。図８（ａ）は平面図を示し、図８（ｂ）及び（ｃ）は図８（ａ）のＸ−Ｘ’断面図及びＹ−Ｙ’断面図を夫々示している。
【００４３】
第２の実施形態に係る通気型枠シート２０ａは、突起２１の頭部平坦部（載頭部）に空気抜き孔２４を設けている点で第１の実施形態に係る通気型枠シート２０と異なる。その他の構造は第１の実施形態と同じである。
【００４４】
図９は、第２の実施形態に係る通気型枠シート２０ａを使用したモルタル外壁１００ａの断面を示している。このモルタル外壁１００ａでは、粘状モルタルを塗り付けるとき、モルタルが、気型枠シート２０の空気抜き孔２４を通り抜けて下地板１０に達する。モルタルが乾燥すると、空気抜き孔２４の部分のモルタル５５は、通気型枠シート２０を介することなく下地板１０と直接に当接する脚としてモルタル層５０を支持する。
【００４５】
以下、空気抜き孔２４の作用効果について説明する。まず、空気抜き孔２４が無い場合に生じうる問題について図１０を用いて説明する。なお、図１０では（図１１も同じ）説明の便宜上、ラス網取付金具３０、ステープラ６０、及びラス網４０の図示を省略している。
【００４６】
第１の問題点は、図１０（ａ）に示すように、モルタルを塗り込んだとき、通気型枠シート２０の突起２１の窪み部２２に、空気が残留する（この空気を残留空気５２と呼ぶ）場合があることである。窪み部２２に残留空気５２が存在すると、モルタル層５０を支える脚の一部が欠損した状態となり、モルタル層５０の強度が低下する。また、コテ等でモルタルを塗りこんだときには、塗りこみの圧力によって残留空気５２が圧縮されるが、塗り込み後に残留空気５２が膨張し、モルタル層５０の外面に窪み部２２の形状に対応する（例えば円形の）凸部が生じてしまう。凸部が存在するとモルタル層５０の美観を損ねるため、再度モルタルを上塗りする必要があり、余分な作業時間と余分なコストが発生する。
【００４７】
第２の問題点は、通気型枠シート２０が長年の間に腐食し、剥脱してしまう点である。近年、５０年住宅や１００年住宅と呼ばれる高品質の住宅建設が普及しつつあるが、樹脂等で作製された通気型枠シート２０は、５０年も使用される間に腐食、剥脱する可能性が高い。通気型枠シート２０を、特許文献１に開示されているようなパルプモールドを使用して作製した場合、もっと短時間で腐食、剥脱する。
【００４８】
通気型枠シート２０が腐食、剥脱すると、たとえ当初はモルタルが突起２１の窪み部２２に完全に充填されていたとしても、図１０（ｂ）に示すように、窪み部２２に重点されたモルタルの先端部と下地板１０の間に間隙５３が生じてしまい、モルタル層５０の強度が損なわれてしまうことになる。
【００４９】
これに対して、空気抜き孔２４を有する第２の実施形態に係る通気型枠シート２０ａを使用すれば、モルタルの塗り込み時に窪み部２２の空気が空気抜き孔２４を通って、通気層２５へ逃げるため、窪み部２２の残留空気５２は発生しない。このため、図１１（ａ）に示すように、モルタルは空気抜き孔２４を通って直接下地板１０に接触し、モルタル層５０の強度は損なわれない。また、モルタル層５０の外部に凸部が発生せず、美観が損なわれることもない。
【００５０】
また、図１１（ｂ）に示すように、長年の使用で通気型枠シート２０ａの一部、或は全部が腐食、剥脱したとしても、モルタルの先端部はモルタル外壁１００ａの作製当初から下地板１０に直接当接しているため、図１０（ｂ）に示したような間隙５３は発生せず、モルタル層５０が経年劣化することがない。通気型枠シート２０ａは、それ自体が腐食、剥落してもモルタルの脚とモルタル層５０とを形成し、その意味でまさに「型枠」として機能する。
【００５１】
なお、通気型枠シート２０ａとラス網４０との間には、ラス網取付金具３０があるが、ラス網取付金具３０は前述したように、針金等の細い線状の部材で構成されている。このため、モルタルを塗り込むとき、モルタルはラス網取付金具３０によってほとんど妨げられることなく、空気抜き孔２４を通って下地板１０に達する。
【００５２】
以上説明してきたように、本実施形態に係る通気型枠シート２０、２０ａ、及びラス網取付金具３０を使用すれば、通気工法に用いる通気型枠シート及びラス網取付金具において、作業者のスキルレベルに依存することなく、平面度が高く、かつ美観を損ねることのない外壁を簡便な容易に形成することができ、さらに外壁の強度を長年にわたって維持することができる。
【００５３】
なお、本発明は上記の実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせても良い。
【符号の説明】
【００５４】
１０  下地板
２０、２０ａ  通気型枠シート
２１  突起
２２  窪み部
２３  平面部
２５  通気層
３０  ラス網取付金具
３１  線状枠体
３２、３３  線状固定部材
３２３、３３３  下地板固定部
３２１ａ、３２１ｂ、３３１ａ、３３１ｂ  フック部
４０  ラス網
５０  モルタル層
１００、１００ａ  モルタル外壁
【図１】
2011137324.tif 000003
【図２】
2011137324.tif 000004
【図３】
2011137324.tif 000005
【図４】
2011137324.tif 000006
【図５】
2011137324.tif 000007
【図６】
2011137324.tif 000008
【図７】
2011137324.tif 000009
【図８】
2011137324.tif 000010
【図９】
2011137324.tif 000011
【図１０】
2011137324.tif 000012
【図１１】
2011137324.tif 000013